(57)【特許請求の範囲】
【請求項１】
打撃削孔時の地質の判定に使用する教師データの作成方法であって、
地盤に対する打撃削孔時に打撃型削孔機械の作業状態に相関する物理量の削孔深度歴データを取得する削孔深度歴データ取得作業と、
前記削孔深度歴データを掘削深度毎にスペクトル解析して複数の周波数スペクトルを作成する周波数スペクトル作成作業と、
前記各周波数スペクトルについて、前記打撃型削孔機械の基本周波数および前記基本周波数のＮ倍の高調波成分を除く領域で定量化スペクトルを作成する定量化スペクトル作成作業と、
複数の前記定量化スペクトルを平均化して一次処理教師データを作成する一次処理教師データ作成作業と、
前記一次処理教師データの最大値を一定値に変換して二次処理教師データを作成する二次処理教師データ作成作業と、
前記二次処理教師データのノイズ成分を除外して三次処理教師データを作成する三次処理教師データ作成作業と、を備えることを特徴とする、教師データの作成方法。
【請求項２】
前記三次処理教師データ作成作業において、１００を超える定量化スペクトルおよび０以上５未満の定量化スペクトルを０に置き換え、５以上１０未満の定量化スペクトルを５に置き換えることを特徴とする、請求項１に記載の教師データの作成方法。
【請求項３】
請求項１または請求項２に記載の教師データの作成方法により取得した地層毎の教師データを利用して、削孔中の地層を判定する地盤評価方法であって、
地盤掘削に打撃型削孔機械の作動状態に相関する物理量の削孔深度歴データを取得するデータ取得ステップと、
前記削孔深度歴データおよび前記地層毎の教師データを式１に代入することにより、各地層の削孔深度毎の相関係数を算出する相関係数演算ステップと、
削孔深度毎の前記相関係数について平均処理を行い、削孔深度毎の移動平均値を算出する平均処理ステップと、
削孔深度に対する移動平均値の最大値を選択する最大値選択ステップと、
前記最大値のうち、設定された閾値を超えるものを判定相関値として選択する判定相関値選択ステップと、
前記判定相関値に対応する地層を当該削孔深度に対応する地層と判定する地盤判定ステップと、を備えていることを特徴とする、地盤評価方法。
【数１】
0006696787.tif 000005
【発明の詳細な説明】
【技術分野】
【０００１】
本発明は、打撃削孔による地層判定に使用する教師データの作成方法およびこの教師データを利用した地盤評価方法に関する。
【背景技術】
【０００２】
トンネルの施工では、計画や設計の段階において、地表踏査や地表面からの弾性波探査などの地盤調査を実施することで、事前に地山状況の予測を行っているが、地表面からの事前調査により、線状構造物であるトンネルの全長にわたって地山の状態を完全に把握することは困難であった。
そのため、施工段階で地山状況の観察や計測を実施し、事前の設計や施工法を適宜修正しながら、施工の安全性や経済性を確保する方法（いわゆる情報化施工）が標準的に行われている。
【０００３】
施工中に地山状況を把握するための方法としては、先進削孔の削孔時の負荷抵抗（削孔フィード圧の変化やノミ下がり速度の変化等）の測定結果に基づいて、地質を判定する手法がある。この方法は、負荷抵抗の測定値を破壊エネルギー量に換算することで、間接的に地質判定を行っていた。より信頼性の高い地質判定を行うためには、従来の負荷抵抗を利用した地質判定方法に加えて、他の方法による判定結果を併用することが望ましい。
【０００４】
本出願人は、特許文献１や特許文献２に示すように、オーガ系削孔機の作動状態に相関する物理量（例えば、音、加速度、トルク、電流、圧力等）のデータを取得し、このデータを解析して掘削機が目標地盤に到達したか否かを判断する地盤評価方法を開発した。この地盤評価方法は、掘削時の波形解析結果と教師データとを比較することにより、数値的に地盤の評価を行うものである。
【先行技術文献】
【特許文献】
【０００５】
【特許文献１】特許第５２４９８７４号公報
【特許文献２】特許第５６３５０２０号公報
【発明の概要】
【発明が解決しようとする課題】
【０００６】
オーガ系削孔における教師データ作成は、既知の地層の削孔データを平均化し、段階的にノイズ分を処理することが可能である。一方、打撃削孔では、大きな打撃力を岩盤に伝えて粉砕破壊を行うことで削孔するため、同一層の同一深度における削孔であっても、打撃強度にバラツキが大きくなる傾向にある。そのため、同一の地質であってもスペクトルの強度が異なる結果となり、有効に平均化することができない場合がある。
そのため、本発明は、打撃削孔において地質の判定に適した周波数帯域の教師データを得ることを可能とした教師データの作成方法とこの教師データを利用した地盤評価方法を提案することを課題とする。
【課題を解決するための手段】
【０００７】
このような課題を解決する本発明の教師データの作成方法は、打撃削孔時の地質の判定に使用する教師データの作成方法であって、地盤に対する打撃削孔時に打撃型削孔機械の作業状態に相関する物理量の削孔深度歴データを取得する削孔深度歴データ取得作業と、前記削孔深度歴データを掘削深度毎にスペクトル解析して複数の周波数スペクトルを作成する周波数スペクトル作成作業と、前記各周波数スペクトルについて、前記打撃型削孔機械の基本周波数および前記基本周波数のＮ倍の高調波成分を除く領域で定量化スペクトルを作成する定量化スペクトル作成作業と、複数の前記定量化スペクトルを平均化して一次処理教師データを作成する一次処理教師データ作成作業と、前記一次処理教師データの最大値を一定値に変換して二次処理教師データを作成する二次処理教師データ作成作業と、前記二次処理教師データのノイズ成分を除外して三次処理教師データを作成する三次処理教師データ作成作業とを備えることを特徴としている。
【０００８】
かかる教師データの作成方法によれば、打撃削孔時の削孔振動波形を計測し、地盤の評価に必要な周波数域とその他の雑音域とを明確に区別した正確な教師データを作成することが可能となるので、地盤評価方法の評価精度を向上させることが可能となる。
前記三次処理教師データ作成作業では、１００を超える定量化スペクトルおよび０以上５未満の定量化スペクトルを０に置き換え、５以上１０未満の定量化スペクトルを５に置き換えることでノイズ成分を除外することができる。
【０００９】
また、本発明の地盤評価方法は、前記教師データの作成方法により取得した地層毎の教師データを利用して、削孔中の地層を判定する地盤評価方法であって、地盤掘削に打撃型削孔機械の作動状態に相関する物理量の削孔深度歴データを取得するデータ取得ステップと、前記削孔深度歴データおよび前記地層毎の教師データを式１に代入することにより、各地層の削孔深度毎の相関係数を算出する相関係数演算ステップと、削孔深度毎の前記相関係数について平均処理を行い、削孔深度毎の移動平均値を算出する平均処理ステップと、削孔深度に対する移動平均値の最大値を選択する最大値選択ステップと、前記最大値のうち、設定された閾値を超えるものを判定相関値として選択する判定相関値選択ステップと、前記判定相関値に対応する地層を当該削孔深度に対応する地層と判定する地盤判定ステップとを備えていることを特徴としている。
【００１０】
【数１】
0006696787.tif 000002
【００１１】
かかる地盤評価方法によれば、教師データと比較評価することで、実削孔時に削孔中の地層（岩盤）をリアルタイムで把握することができる。また、相関係数を移動平均処理して平滑化することでバラツキをなくすので、高精度に評価することができる。
【発明の効果】
【００１２】
本発明の教師データの作成方法によれば、打撃削孔において地質の判定に適した周波数帯域の教師データを得ることを可能となる。また、本発明に地盤評価方法によれば、高精度に削孔中の地層を判定することができる。
【図面の簡単な説明】
【００１３】
【図１】本実施形態に係る地盤評価装置を示す模式図である。
【図２】本実施形態に係る教師データの作成方法を示すフローチャートである。
【図３】（ａ）は周波数スペクトルを示すグラフ、（ｂ）は（ａ）の定量化スペクトルを示すグラフである。
【図４】（ａ）は周波数スペクトルを示すグラフ、（ｂ）は（ａ）の定量化スペクトルを示すグラフである。
【図５】三次処理教師データを示すグラフである。
【図６】本実施形態の地盤評価方法を示すフローチャートである。
【発明を実施するための形態】
【００１４】
本実施形態では、図１に示すように、打撃型削孔機械（以下、単に「削孔機」という）Ｍにより岩盤を粉砕・削孔する場合において、削孔データとの相関比較によって地層判定をする場合に適した教師データの作成方法について説明する。
削孔機Ｍには、振動加速度計（データ取得部）２と、コンピュータ３とを備えた地層評価装置１が接続されている。
【００１５】
振動加速度計２は、削孔機ＭのガイドセルＭ１に取り付けられていて、岩盤削孔に伴って、ロッドＭ２に発生する振動（加速度）を計測する装置である。なお、振動加速度計２の設置個所は限定されない。
コンピュータ３は、データ解析部４と、出力部５とを備えている。データ解析部４は、振動加速度計２が取得した振動（加速度）データをコンバータ（Ａ／Ｄ変換器）６を介して入手し、解析するものである。出力部５は、データ解析部４から出力された情報を出力するものであり、本実施形態では、モニターである。
なお、地盤評価装置１のデータ解析部４には、予め教師データが記憶されている。
【００１６】
教師データは、トンネルを施工する地盤（目標地盤）と同等の地盤に対する物理量（本実施形態では加速度）の削孔深度歴データを処理（平均化やその他の処理）し、教師データとして解析したものである。すなわち、教師データは、地盤（岩盤）に対して前もって削孔機Ｍによる掘削を行って、削孔機Ｍの作動状態に相関する物理量の削孔深度歴データをデータ取得部で取得し、取得した削孔深度歴データについてスペクトル解析を行うことで得ることができる。教師データのスペクトル解析は、ＦＦＴ（高速フーリエ変換）、ＭＥＭ（最大エントロピー法）その他のスペクトル解析により行えばよい。
【００１７】
以下、教師データの作成方法について、詳細に説明する。
教師データの作成方法は、図２に示すように、削孔深度歴データ取得作業Ｓ１１と、周波数スペクトル作成作業Ｓ１２と、定量化スペクトル作成作業Ｓ１３と、一次処理教師データ作成作業Ｓ１４と、二次処理教師データ作成作業Ｓ１５と、三次処理教師データ作成作業Ｓ１６とを備えている。
【００１８】
削孔深度歴データ取得作業Ｓ１１では、トンネルを施工する地盤（目標地盤）と同等の地盤に対する岩盤削孔時（打撃削孔時）における上記物理量（加速度）の削孔深度歴データ（削孔機の作動状態に相関する物理量の削孔深度歴データ）を取得する。
加速度は、ガイドセルに設置された振動加速度計２により計測する。振動加速度計２により計測された物理量の削孔深度歴データは、コンバータ６および入力インターフェースを介してデータ解析部４に入力され、データ記憶手段に記憶される。
【００１９】
周波数スペクトル作成作業Ｓ１２では、削孔深度歴データを掘削深度（所定時間Δｔ）毎にスペクトル解析して複数の周波数スペクトルを作成する（図３の（ａ）および図４の（ａ）参照）。なお、本実施形態では所定時間Δｔ＝１（秒）とするが、所定時間Δｔは、１秒に限定されるものではない。
定量化スペクトル作成作業Ｓ１３では、前記各周波数スペクトルについて、打撃型削孔機械の基本周波数および基本周波数のＮ倍の高調波成分を除く領域で定量化スペクトルを作成する（図３の（ｂ）および図４の（ｂ）参照）。
【００２０】
一次処理教師データ作成作業Ｓ１４では、複数の定量化スペクトルを平均化して一次処理教師データを作成する。
定量化されたスペクトルであれば、同一層のスペクトルを平均化しても大きな影響がない。
二次処理教師データ作成作業Ｓ１５では、一次処理教師データの最大値を一定値に変換して二次処理教師データを作成する。
【００２１】
三次処理教師データ作成作業Ｓ１６では、二次処理教師データのノイズ成分を除外して三次処理教師データを作成する（図５参照）。
二次処理教師データには、微小ではあるが、広帯域に数値が分布している。そのため、スペクトルの特徴を収集することを目的として、ノイズ分と信号分とを分離する。
ノイズ成分の除外は、１００を超える定量化スペクトルおよび０以上５未満の定量化スペクトルを０に置き換え、５以上１０未満の定量化スペクトルを５に置き換えることにより行う。
三次処理教師データを作成したら、この三次処理教師データを地盤評価方法において利用する教師データとしてデータ解析部４に保存しておく。
【００２２】
次に、教師データを利用した地盤評価方法について説明する。
本実施形態では、第一層〜第四層までの異なる４つの地質の層を含む地層を削孔する場合について説明する。
本実施形態の地盤評価方法は、図６に示すように、データ取得ステップＳ２１と、スペクトル解析ステップＳ２２と、地盤検知ステップＳ２３と、相関係数演算ステップＳ２４と、平均処理ステップＳ２５と、最大値選択ステップＳ２６と、判定相関値選択ステップＳ２７と、地盤判定ステップＳ２８とを備えている。
【００２３】
データ取得ステップＳ２１では、削孔機Ｍによる地盤掘削時の振動の削孔深度歴データ（削孔機Ｍの作動状態に相関する物理量の削孔深度歴データ）を、振動加速度計２により取得して、データ解析部４に記憶する。
スペクトル解析ステップＳ２２では、データ解析部４に記憶された本掘削時の削孔深度歴データに対してスペクトル解析を行い、周波数領域の関数である掘削時周波数スペクトルを演算する。算出した掘削時周波数スペクトルは、データ解析部４に記憶する。
地盤検知ステップＳ２３では、スペクトル解析ステップＳ２２により算出された掘削時周波数スペクトルをモニター上において確認し、予め記憶された教師データとの差異を検知する。なお、地盤検知ステップＳ２３は、必要に応じて行えばよく、省略してもよい。また、掘削時周波数スペクトルと教師データとの差異の検知は、機械的に行ってもよい。
相関係数演算ステップＳ２４では、式１を利用して相関係数を算出する。相関係数の算出には、地盤掘削時に取得した削孔深度歴データと、データ解析部４に記憶されている教師データとを利用する。算出した相関係数は、削孔深度毎にデータ解析部４に記憶する。相関係数の算出に使用する教師データは、データ解析部４に予め記憶されている物を使用する。
【００２４】
【数２】
0006696787.tif 000003
【００２５】
平均処理ステップＳ２５では、削孔深度毎の相関係数について、移動平均処理を行う。こうすることで、瞬時の状況を測定した結果（相関係数）のバラツキを、平均処理することで平滑化する。
本実施形態では、過去５回分の各々の相関係数を移動平均した値を採用する。なお、移動平均するのに使用する相関係数の数は限定されない。算出した移動平均値は、データ解析部４に記憶する。
表１に相関係数および移動平均値のデータの一例を示す。
【００２６】
【表１】
0006696787.tif 000004
【００２７】
最大値選択ステップＳ２６では、平均処理ステップＳ２５において算出した、削孔深度に対する移動平均値の最大値（以下、「最大評価値」という）を選択する。表１に示すように、削孔深度０．１１８〜０．１３４ｍおよび０．１７３〜0．１８１ｍでは第一層の移動平均値が最大となり、削孔深度０．１４２〜０．１６５ｍでは第二層の移動平均値が最大になった。
判定相関値選択ステップＳ２７では、閾値を設定し、この閾値を超える最大評価値（判定相関値）を選択する。本実施形態では、閾値を０．５に設定する。表１に示すように、０．５を超える最大評価値（判定相関値）は、第二層の削孔深度０．１５０ｍと０．１５７ｍおよび第一層の削孔深度０．１７３ｍと０．１８１ｍであった。一方、削孔深度０．１１８〜０．１４２ｍおよび０．１６５ｍでは、最大評価値が閾値を超えないため、判定相関値がないことになる（表１において「ＮＧ」と表示）。
地盤判定ステップＳ２８では、判定相関値選択ステップＳ２７において選択された判定相関値に対応する地層を削孔深度に対応する地層と判定する。すなわち、削孔深度０．１５０〜０．１５７ｍの範囲内の地層は第二層、削孔深度０．１７３〜０．１８１ｍの範囲内の地層は第一層と認定する。一方、最大評価値が閾値を超えていない区間（削孔深度）は、教師データが存在しないと認定する（表１において「Ｎ」と表示）。
地盤判定ステップＳ２８による判定結果は、出力部５（モニター）に出力する。作業員は、モニターを確認することで、削孔中の地層（岩盤）をリアルタイムに把握することができる。
【００２８】
以上、本実施形態の教師データの作成方法によれば、打撃削孔時の削孔振動波形を計測し、地盤の評価に必要な周波数域とその他の雑音域とを明確に区別した正確な教師データを作成することが可能となるので、地盤評価方法の評価精度を向上させることが可能となる。
また、１００を超える定量化スペクトルおよび０以上５未満の定量化スペクトルを０に置き換え、５以上１０未満の定量化スペクトルを５に置き換えることで、ノイズ成分を適切に除外しているため、判定精度が高い。すなわち、最大スペクトル値を定量化していることで、同一層におけるスペクトル強さを一定に揃えているため、判定精度が高い。
また、本実施形態に地盤評価方法によれば、教師データと比較評価することで、実削孔時に削孔中の層をリアルタイムで把握することができる。また、抽出する教師スペクトルを適切に選択することで、相関のある結果を導くことが可能となる。
また、教師データを利用して、数値的に地層を判断することができるため、作業員の個人差などによる誤差が生じることなく、一定の精度を確保することが可能となる。
【００２９】
以上、本発明の実施形態について説明した。しかし、本発明は、前述の実施形態に限られず、前記の各構成要素については、本発明の趣旨を逸脱しない範囲で、適宜変更が可能である。
【符号の説明】
【００３０】
Ｓ１１  削孔深度歴データ取得作業
Ｓ１２  周波数スペクトル作成作業
Ｓ１３  定量化スペクトル作成作業
Ｓ１４  一次処理教師データ作成作業
Ｓ１５  二次処理教師データ作成作業
Ｓ１６  三次処理教師データ作成作業
Ｓ２１  データ取得ステップ
Ｓ２２  スペクトル解析ステップ
Ｓ２３  地盤検知ステップ
Ｓ２４  相関係数演算ステップ
Ｓ２５  平均処理ステップ
Ｓ２６  最大値選択ステップ
Ｓ２７  判定相関値選択ステップ
Ｓ２８  地盤判定ステップ
【図１】
0006696787.tif 000006
【図２】
0006696787.tif 000007
【図３】
0006696787.tif 000008
【図４】
0006696787.tif 000009
【図５】
0006696787.tif 000010
【図６】
0006696787.tif 000011